(57)【要約】【課題】加熱手段により加熱された湯を貯湯槽に流入させることなく混合手段に流入させる出湯運転を実行可能で、貯湯運転のときに混合手段からの給湯が開始または終了した場合においても加熱手段から流出する湯の温度の変動を軽減できる貯湯式給湯装置を提供する。【解決手段】貯湯式給湯装置（１）は、貯湯運転と、加熱手段（３１）により加熱された湯を貯湯槽（２）に流入させることなく出湯流路（８）及び混合手段（６１）に流入させる出湯運転とを行う。流路切替手段（４１）は貯湯加熱経路と出湯加熱経路とを切り替え可能である。貯湯加熱経路は貯湯槽（２）の下部からポンプ（７）及び加熱手段（３１）を経由した後に出湯流路（８）を経由することなく貯湯槽（２）の上部に繋がる経路である。出湯加熱経路は貯湯槽（２）の下部からポンプ（７）及び加熱手段（３１）を経由した後に貯湯槽（２）を経由することなく出湯流路（８）に繋がる経路である。【選択図】図１
2019086163.tif 000002
【特許請求の範囲】
【請求項１】
水を加熱する加熱手段と、
湯を貯留する貯湯槽と、
湯と水とを混合することにより給湯温度を調整する混合手段と、
水を流れさせるポンプと、前記貯湯槽の上部と前記混合手段の湯側入口との間を繋ぐ出湯流路とを有する配管設備と、
前記加熱手段により加熱された湯を前記貯湯槽に流入させる貯湯運転と、前記加熱手段により加熱された湯を前記貯湯槽に流入させることなく前記出湯流路及び前記混合手段に流入させる出湯運転とを行う制御手段と、
を備え、
前記配管設備は、前記貯湯運転のときの流路となる貯湯加熱経路と、前記出湯運転のときの流路となる出湯加熱経路とを切り替え可能な流路切替手段を含み、
前記貯湯加熱経路は、前記貯湯槽の下部から前記ポンプ及び前記加熱手段を経由した後に前記出湯流路を経由することなく前記貯湯槽の上部に繋がる経路であり、
前記出湯加熱経路は、前記貯湯槽の下部から前記ポンプ及び前記加熱手段を経由した後に前記貯湯槽を経由することなく前記出湯流路に繋がる経路である
貯湯式給湯装置。
【請求項２】
前記貯湯槽は、直列に接続された複数の貯湯タンクを備える請求項１に記載の貯湯式給湯装置。
【請求項３】
前記加熱手段により加熱された湯の温度である沸上げ温度を検出する沸上げ温度検出手段を備え、
前記制御手段は、前記出湯運転のときの前記沸上げ温度が前記貯湯運転のときの前記沸上げ温度よりも低くなるように制御する請求項１または請求項２に記載の貯湯式給湯装置。
【請求項４】
前記制御手段は、前記出湯運転から前記貯湯運転へ移行する場合には、前記沸上げ温度を上昇させた後に、前記流路切替手段を前記出湯加熱経路から前記貯湯加熱経路へ切り替える請求項３に記載の貯湯式給湯装置。
【請求項５】
前記貯湯槽内の湯の温度である貯湯温度を検出する貯湯温度検出手段を備え、
前記制御手段は、前記出湯運転から前記貯湯運転へ移行する場合には、前記沸上げ温度が閾値温度に達した後に、前記流路切替手段を前記出湯加熱経路から前記貯湯加熱経路へ切り替え、
前記制御手段は、前記貯湯温度が比較的高い第一の場合には前記貯湯温度が比較的低い第二の場合よりも前記閾値温度を高い値にする請求項４に記載の貯湯式給湯装置。
【請求項６】
前記制御手段は、前記貯湯運転から前記出湯運転へ移行する場合には、前記流路切替手段を前記貯湯加熱経路から前記出湯加熱経路へ切り替えた後に、前記沸上げ温度を低下させる請求項３から請求項５のいずれか一項に記載の貯湯式給湯装置。
【請求項７】
前記制御手段は、前記混合手段により混合された湯を浴槽へ供給する湯張り運転を前記出湯運転として実行可能であり、
前記制御手段は、前記混合手段の前記湯側入口の開度及び水側入口の開度を制御可能であり、
前記制御手段は、前記湯張り運転を終了する場合に、前記混合手段の前記湯側入口の開度を縮小させて前記水側入口の開度を増大させた後に、前記浴槽への給湯を停止する請求項１から請求項６のいずれか一項に記載の貯湯式給湯装置。
【請求項８】
前記混合手段は、第一混合弁及び第二混合弁を含み、
前記出湯運転は、前記第二混合弁から湯を流出させる運転であり、
前記第一混合弁から流出する水流を検出する水流検出手段をさらに備え、
前記制御手段は、前記出湯運転の実行中に前記第一混合弁から流出する水流が検出された場合には、前記流路切替手段を前記出湯加熱経路から前記貯湯加熱経路へ切り替える請求項１から請求項７のいずれか一項に記載の貯湯式給湯装置。
【請求項９】
前記流路切替手段は、前記貯湯加熱経路と前記出湯加熱経路とを切り替える間の過渡状態のすべての状態において、流路の閉塞が発生しない弁構造を有する請求項１から請求項８のいずれか一項に記載の貯湯式給湯装置。
【請求項１０】
水を加熱する加熱手段と、
湯を貯留する貯湯槽と、
湯と水とを混合することにより給湯温度を調整する混合手段と、
水を流れさせるポンプと、前記貯湯槽の上部と前記混合手段の湯側入口との間を繋ぐ出湯流路と、前記貯湯槽の下部から前記ポンプ及び前記加熱手段を経由した後に前記出湯流路に繋がる経路とを有する配管設備と、
前記加熱手段により加熱された湯を前記貯湯槽に流入させる貯湯運転と、前記加熱手段により加熱された湯を前記貯湯槽に流入させることなく前記出湯流路及び前記混合手段に流入させる出湯運転とを行う制御手段と、
前記混合手段から流出する水流を検出する水流検出手段と、
を備え、
前記制御手段は、前記貯湯運転の実行中に前記混合手段から流出する水流が検出された場合には、前記ポンプの回転速度を、当該水流が検出された時点よりも低い回転速度へ補正することを禁止する
貯湯式給湯装置。
【請求項１１】
水を加熱する加熱手段と、
湯を貯留する貯湯槽と、
湯と水とを混合することにより給湯温度を調整する混合手段と、
水を流れさせるポンプと、前記貯湯槽の上部と前記混合手段の湯側入口との間を繋ぐ出湯流路と、前記貯湯槽の下部から前記ポンプ及び前記加熱手段を経由した後に前記出湯流路に繋がる経路とを有する配管設備と、
前記加熱手段により加熱された湯を前記貯湯槽に流入させる貯湯運転と、前記加熱手段により加熱された湯を前記貯湯槽に流入させることなく前記出湯流路及び前記混合手段に流入させる出湯運転とを行う制御手段と、
を備え、
前記制御手段は、前記貯湯運転の実行中には、前記混合手段の前記湯側入口の開度よりも水側入口の開度が大きい状態を保持する
貯湯式給湯装置。
【発明の詳細な説明】
【技術分野】
【０００１】
本発明は、貯湯式給湯装置に関する。
【背景技術】
【０００２】
下記特許文献１に開示された貯湯式給湯装置は、以下のようなものである。貯湯タンクに貯湯するための沸上げ温度よりも低い温度の湯をヒートポンプにより生成する低温沸上げを行い、その湯を貯湯タンクに流入させることなく、混合弁の湯側に導き、浴槽等へ供給する。この貯湯式給湯装置によれば、沸上げ時の出湯温度が低いほどヒートポンプのＣＯＰ（成績係数）が高い特性を利用し、より効率の良い給湯が実現される。このとき、低温沸上げした湯水は、貯湯タンク内の湯と混合させることで、設定した給湯温度の湯水を生成することができる。
【先行技術文献】
【特許文献】
【０００３】
【特許文献１】特開２０１１−２１８２５号公報
【発明の概要】
【発明が解決しようとする課題】
【０００４】
上述した従来の貯湯式給湯装置では、貯湯運転を行うための沸上げ経路と、混合弁への給湯回路とが、貯湯タンクを介さずに配管で接続されている。このような貯湯式給湯装置では、以下のような課題がある。貯湯運転の実行中に混合弁からの給湯が開始されると、給湯回路の湯水が混合弁へ流れることにより、給湯回路内の湯水の静圧が減少する。その結果、沸上げ経路の圧力損失が減少するので、沸上げ経路の循環流量が増加する。沸上げ経路の水ポンプは、ヒートポンプから流出する湯の温度、すなわち沸上げ温度が目標値に等しくなるように回転速度がフィードバック制御されている。沸上げ経路の循環流量が増加し、沸上げ温度が低下すると、沸上げ温度を回復させようとするフィードバック制御が働くことで、水ポンプの回転速度は減少する。その状態で混合弁からの給湯が終了すると、沸上げ経路の圧力損失が増加し、沸上げ経路の循環流量が低下することで、沸上げ温度が目標値を超えてしまう。その結果、沸上げ温度を低下させようとするフィードバック制御が働き、水ポンプの回転速度は上昇する。水ポンプの回転速度が上昇すると、沸上げ温度が目標値をアンダーシュートする可能性がある。
【０００５】
このように、給湯の開始または終了に起因する水ポンプの回転速度の変動によって沸上げ温度が変動すると、以下のような問題が発生する可能性がある。貯湯タンク内には、温度による水の密度の違いにより、上側が高温で下側が低温の温度成層が形成されている。目標値よりも低い沸上げ温度の湯が貯湯タンクの上部に流入すると、密度差により、その低温の湯が一気に中間部へと落下することで、貯湯タンク内が撹拌されて温度成層が乱される。その結果、貯湯タンク内で、給湯設定温度よりも低温の、給湯に供することのできない無効温度の湯水の生成が促進される可能性がある。また、沸上げ温度が目標値を超えると、高温の湯が沸騰して発生した気体が流路内に滞留することで、流路内に湯水の滞留が発生する可能性がある。
【０００６】
本発明は、上述のような課題を解決するためになされたもので、加熱手段により加熱された湯を貯湯槽に流入させることなく混合手段に流入させる出湯運転を実行可能であり、かつ、加熱手段により加熱された湯を貯湯槽に流入させる貯湯運転のときに混合手段からの給湯が開始または終了した場合においても、加熱手段から流出する湯の温度の変動を軽減できる貯湯式給湯装置を提供することを目的とする。
【課題を解決するための手段】
【０００７】
本発明に係る貯湯式給湯装置は、水を加熱する加熱手段と、湯を貯留する貯湯槽と、湯と水とを混合することにより給湯温度を調整する混合手段と、水を流れさせるポンプと、貯湯槽の上部と混合手段の湯側入口との間を繋ぐ出湯流路とを有する配管設備と、加熱手段により加熱された湯を貯湯槽に流入させる貯湯運転と、加熱手段により加熱された湯を貯湯槽に流入させることなく出湯流路及び混合手段に流入させる出湯運転とを行う制御手段と、を備え、配管設備は、貯湯運転のときの流路となる貯湯加熱経路と、出湯運転のときの流路となる出湯加熱経路とを切り替え可能な流路切替手段を含み、貯湯加熱経路は、貯湯槽の下部からポンプ及び加熱手段を経由した後に出湯流路を経由することなく貯湯槽の上部に繋がる経路であり、出湯加熱経路は、貯湯槽の下部からポンプ及び加熱手段を経由した後に貯湯槽を経由することなく出湯流路に繋がる経路であるものである。
また、本発明に係る貯湯式給湯装置は、水を加熱する加熱手段と、湯を貯留する貯湯槽と、湯と水とを混合することにより給湯温度を調整する混合手段と、水を流れさせるポンプと、貯湯槽の上部と混合手段の湯側入口との間を繋ぐ出湯流路と、貯湯槽の下部からポンプ及び加熱手段を経由した後に出湯流路に繋がる経路とを有する配管設備と、加熱手段により加熱された湯を貯湯槽に流入させる貯湯運転と、加熱手段により加熱された湯を貯湯槽に流入させることなく出湯流路及び混合手段に流入させる出湯運転とを行う制御手段と、混合手段から流出する水流を検出する水流検出手段と、を備え、制御手段は、貯湯運転の実行中に混合手段から流出する水流が検出された場合には、ポンプの回転速度を、当該水流が検出された時点よりも低い回転速度へ補正することを禁止するものである。
また、本発明に係る貯湯式給湯装置は、水を加熱する加熱手段と、湯を貯留する貯湯槽と、湯と水とを混合することにより給湯温度を調整する混合手段と、水を流れさせるポンプと、貯湯槽の上部と混合手段の湯側入口との間を繋ぐ出湯流路と、貯湯槽の下部からポンプ及び加熱手段を経由した後に出湯流路に繋がる経路とを有する配管設備と、加熱手段により加熱された湯を貯湯槽に流入させる貯湯運転と、加熱手段により加熱された湯を貯湯槽に流入させることなく出湯流路及び混合手段に流入させる出湯運転とを行う制御手段と、を備え、制御手段は、貯湯運転の実行中には、混合手段の湯側入口の開度よりも水側入口の開度が大きい状態を保持するものである。
【発明の効果】
【０００８】
本発明によれば、加熱手段により加熱された湯を貯湯槽に流入させることなく混合手段に流入させる出湯運転を実行可能であり、かつ、加熱手段により加熱された湯を貯湯槽に流入させる貯湯運転のときに混合手段からの給湯が開始または終了した場合においても、加熱手段から流出する湯の温度の変動を軽減することが可能となる。
【図面の簡単な説明】
【０００９】
【図１】実施の形態１による貯湯式給湯装置を示す図である。
【図２】図１に示す貯湯式給湯装置が備えるヒートポンプ加熱手段の構成を示す図である。
【図３】実施の形態２による貯湯式給湯装置を示す図である。
【発明を実施するための形態】
【００１０】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１１】
実施の形態１．
図１は、実施の形態１による貯湯式給湯装置１を示す図である。図１に示す貯湯式給湯装置１は、貯湯槽２を内蔵した貯湯ユニット１０と、ヒートポンプ加熱手段３１とを備える。ヒートポンプ加熱手段３１は、ヒートポンプサイクルを利用して水を加熱するように構成された装置である。貯湯ユニット１０の貯湯槽２の内部では、温度による水の密度の差によって、上側が高温で下側が低温になる温度成層を形成することができる。本実施の形態における貯湯槽２は、直列に接続された第一貯湯タンク２ａ及び第二貯湯タンク２ｂを備える。第一貯湯タンク２ａの下部と、第二貯湯タンク２ｂの上部とは、タンク連結配管３によって接続されている。貯湯槽２は、一つの貯湯タンクのみで構成されるものでもよいが、本実施の形態のように、直列に接続された複数の貯湯タンクを貯湯槽２が備えることで、貯湯槽２の容量を大きくできる。以下の説明において、貯湯槽２における上下方向の位置に関して言及するが、直列に接続された複数の貯湯タンクを貯湯槽２が備える場合には、それらの複数の貯湯タンク全体での階層において、上下方向の位置が特定されるものとする。
【００１２】
貯湯ユニット１０内には、給湯混合弁１１及び湯張り混合弁６１が設置されている。給湯混合弁１１及び湯張り混合弁６１は、湯と水とを混合することにより給湯温度を調整する混合手段の例である。給湯混合弁１１は、第一混合弁に相当する。湯張り混合弁６１は、第二混合弁に相当する。貯湯式給湯装置１は、配管設備を備える。当該配管設備は、ヒートポンプ入口配管４と、ヒートポンプ出口配管５と、水を流れさせるポンプ７と、第一貯湯タンク２ａの上部と給湯混合弁１１及び湯張り混合弁６１の湯側入口との間を繋ぐ出湯流路８とを備える。第一貯湯タンク２ａの上部には、第一上部口２３及び第二上部口２４が設けられている。出湯流路８の一端は、第一上部口２３に接続されている。
【００１３】
貯湯ユニット１０とヒートポンプ加熱手段３１との間は、ヒートポンプ入口配管４と、ヒートポンプ出口配管５と、電気配線（図示省略）とによって接続されている。貯湯ユニット１０内には、制御手段に相当する制御装置１００が設置されている。貯湯ユニット１０及びヒートポンプ加熱手段３１が備える各種の弁類、ポンプ類等の動作は、これらと配線を介して接続された制御装置１００により制御される。
【００１４】
第二貯湯タンク２ｂの下部は、ヒートポンプ入口配管４を介してヒートポンプ加熱手段３１の入水口に接続されている。第二貯湯タンク２ｂの下部には、水道等の水源からの水を供給するための給水配管６が接続されている。第一貯湯タンク２ａ及び第二貯湯タンク２ｂの側面には、複数の貯湯温度センサ１５が、異なる高さの位置に配置されている。これらの貯湯温度センサ１５により、貯湯槽２内の湯の鉛直方向の温度分布を検出することで、貯湯槽２内の貯湯温度及び蓄熱量を計算できる。給湯するときには、給水配管６から第二貯湯タンク２ｂに作用する水源の水圧により、第一貯湯タンク２ａ内の湯を出湯流路８へ流出させることができる。貯湯槽２内は、給水配管６から水が流入することで、満水状態に維持される。
【００１５】
第一貯湯タンク２ａの下部の内部には、バッフル２１が設置されている。バッフル２１は、タンク連結配管３から第一貯湯タンク２ａの下部に流入した水流を横方向に向けるように配置されている。バッフル２１を設けたことで、タンク連結配管３から第一貯湯タンク２ａに流入した水流によって第一貯湯タンク２ａ内の温度成層が乱されることを防止できる。
【００１６】
第二貯湯タンク２ｂの上部の内部には、バッフル２２が設置されている。バッフル２２は、タンク連結配管３から第二貯湯タンク２ｂの上部に流入した水流を横方向に向けるように配置されている。バッフル２２を設けたことで、タンク連結配管３から第二貯湯タンク２ｂに流入した水流によって第二貯湯タンク２ｂ内の温度成層が乱されることを防止できる。
【００１７】
なお、図示の例では、第二貯湯タンク２ｂの上端部にタンク連結配管３が接続されているが、第二貯湯タンク２ｂに対するタンク連結配管３の接続位置は、図示の位置に限定されるものではない。タンク連結配管３は、ヒートポンプ入口配管４または給水配管６が接続されている第二貯湯タンク２ｂの下部よりも上の位置に接続されていればよい。
【００１８】
貯湯ユニット１０内には、三方弁４１が設置されている。三方弁４１は、ａポート、ｂポート、及びｃポートを有する流路切替手段である。三方弁４１は、ａ−ｂポート間が導通してｃポートが遮断される状態と、ａ−ｃポート間が導通してｂポートが遮断される状態とに、流路を切り替えることができる。ヒートポンプ出口配管５は、ヒートポンプ加熱手段３１の出湯口と、三方弁４１のａポートとの間を繋ぐ。出湯配管４４は、三方弁４１のｂポートと、出湯流路８の途中に設けられた接続点Ｐ１との間を繋ぐ。貯湯配管４３は、三方弁４１のｃポートと、第一貯湯タンク２ａの第二上部口２４との間を繋ぐ。
【００１９】
図２は、図１に示す貯湯式給湯装置１が備えるヒートポンプ加熱手段３１の構成を示す図である。図２に示すように、ヒートポンプ加熱手段３１は、圧縮機３２、ガスクーラ３３、内部熱交換器３４、膨張弁３５、及び空気熱交換器３６が環状に接続された冷媒回路３７を備える。ヒートポンプ加熱手段３１は、冷媒回路３７により、冷凍サイクルすなわちヒートポンプサイクルの運転を行う。圧縮機３２は、低圧冷媒ガスを圧縮する。冷媒は、例えば二酸化炭素でもよい。ガスクーラ３３は、圧縮機３２から吐出された高温高圧の冷媒と、貯湯ユニット１０から導かれた水との間で熱を交換する熱交換器である。
【００２０】
膨張弁３５は、高圧冷媒を減圧して低圧冷媒にする減圧装置の例である。減圧された低圧冷媒は、気液二相の状態になる。空気熱交換器３６は、低圧冷媒と大気との間で熱を交換する熱交換器である。空気熱交換器３６において、低圧冷媒は、大気の熱を吸収することで蒸発する。送風機３８は、外気を空気熱交換器３６へ送風する。内部熱交換器３４は、高圧流路及び低圧流路を備える。内部熱交換器３４は、高圧流路を流れる高圧冷媒と、低圧流路を流れる低圧冷媒との間で熱を交換する。ガスクーラ３３を通過した高圧冷媒は、内部熱交換器３４の高圧流路を経由して、膨張弁３５に至る。空気熱交換器３６で蒸発した低圧冷媒ガスは、内部熱交換器３４の低圧流路を経由して、圧縮機３２に吸入される。
【００２１】
ヒートポンプ加熱手段３１は、入水温度センサ５１及び出湯温度センサ５２を備える。入水温度センサ５１は、ヒートポンプ入口配管４からガスクーラ３３の入水口への流路に設置されている。出湯温度センサ５２は、ガスクーラ３３の出湯口からヒートポンプ出口配管５への流路に設置されている。以下の説明では、ヒートポンプ加熱手段３１により加熱された湯の温度を「沸上げ温度」と称する。出湯温度センサ５２は、沸上げ温度を検出する沸上げ温度検出手段の例である。入水温度センサ５１は、ヒートポンプ加熱手段３１により加熱される前の水の温度である入水温度を検出する。
【００２２】
再び図１を参照して説明する。貯湯式給湯装置１は、ヒートポンプ加熱手段３１により加熱された湯を貯湯槽２に流入させる貯湯運転を実行できる。貯湯運転のときには、以下のようになる。ポンプ７及びヒートポンプ加熱手段３１が運転される。三方弁４１は、ａ−ｃポート間が導通してｂポートが遮断される状態にされる。第二貯湯タンク２ｂの下部に貯められた水がヒートポンプ入口配管４を通ってヒートポンプ加熱手段３１のガスクーラ３３へと送られる。ヒートポンプ加熱手段３１のガスクーラ３３にて加熱された湯すなわち高温水は、ヒートポンプ出口配管５、三方弁４１及び貯湯配管４３を通り、第二上部口２４から第一貯湯タンク２ａ内に流入する。上述したような貯湯運転のときの流路を以下「貯湯加熱経路」と称する。貯湯加熱経路は、第二貯湯タンク２ｂの下部からポンプ７及びヒートポンプ加熱手段３１を経由した後に出湯流路８を経由することなく第一貯湯タンク２ａの上部に繋がる経路である。
【００２３】
貯湯運転が行われると、第一貯湯タンク２ａ内の上部から下部に向かって高温水が貯えられていく。第一貯湯タンク２ａ内の下部まで高温水が満たされると、高温水がタンク連結配管３を通って第二貯湯タンク２ｂに流入する。その後、第二貯湯タンク２ｂ内の上部から下部に向かって高温水が貯えられていく。
【００２４】
給湯混合弁１１は、湯側入口１１ａ、水側入口１１ｂ、及び出口１１ｃを備える。湯張り混合弁６１は、湯側入口６１ａ、水側入口６１ｂ、及び出口６１ｃを備える。出湯流路８の下流部は、湯側入口１１ａ及び湯側入口６１ａのそれぞれに連通している。出湯流路８には、逆流を防止する逆止弁７０が設置されている。給水配管６の途中には、水源の水圧を所定圧力に減圧する減圧弁７１が設置されている。減圧弁７１よりも下流の給水配管６から給水配管９が分岐している。給水配管９の下流部は、水側入口１１ｂ及び水側入口６１ｂのそれぞれに連通している。給水配管９には、逆流を防止する逆止弁７２が設置されている。
【００２５】
給湯配管１２の一端は、出口１１ｃに接続されている。給湯混合弁１１は、出湯流路８を通って供給される湯と、給水配管９を通って供給される水源からの水とを混合し、温度調節する。その温度調節された湯は、給湯配管１２に流入する。
【００２６】
湯張り配管６３の一端は、出口６１ｃに接続されている。湯張り混合弁６１は、出湯流路８を通って供給される湯と、給水配管９を通って供給される水源からの水とを混合し、温度調節する。その温度調節された湯は、湯張り配管６３に流入する。
【００２７】
給湯配管１２には、給湯流量センサ１３及び給湯温度センサ１４が設けられている。給湯流量センサ１３は、給湯配管１２を流れる湯の流量を検出する。本実施の形態における給湯流量センサ１３は、給湯混合弁１１から給湯配管１２へ流出する水流を検出する水流検出手段に相当する。給湯温度センサ１４は、給湯配管１２を流れる湯の温度を検出する。湯張り配管６３には、湯張り開閉弁６２、湯張り流量センサ６４、及び湯張り温度センサ６５が設けられている。湯張り開閉弁６２は、湯張り配管６３を開閉する。湯張り流量センサ６４は、湯張り配管６３を流れる湯の流量を検出する。湯張り温度センサ６５は、湯張り配管６３を流れる湯の温度を検出する。
【００２８】
図示の例では、水源からの低温水が水側入口１１ｂ及び水側入口６１ｂに供給されるが、変形例として、貯湯槽２の中間部から取り出される中温水が水側入口１１ｂ及び水側入口６１ｂに供給されるように構成してもよい。湯側入口１１ａ及び湯側入口６１ａに流入する湯よりも温度の低い水が水側入口１１ｂ及び水側入口６１ｂに供給される構成であればよい。
【００２９】
給湯混合弁１１により温度調整された湯は、給湯配管１２を通って、例えば、台所の蛇口、浴室内のシャワーのような給湯端末（図示省略）に供給される。湯張り混合弁６１により温度調整された湯は、湯張り配管６３を通って、浴室内の浴槽（図示省略）に供給される。
【００３０】
以下の説明では、浴槽内の湯を「浴水」と称する。本実施の形態の貯湯式給湯装置１は、浴槽と貯湯ユニット１０との間で浴水を循環させるための浴水ポンプ７３を有する浴水循環回路を備える。湯張り配管６３の一部は、浴水循環回路を形成する。浴水循環回路には、貯湯槽２からのタンク水と、浴水との間で熱を交換する熱交換器（図示省略）が備えられる。貯湯式給湯装置１は、当該熱交換器を用いて、浴槽内の浴水を加熱する追焚運転と、浴槽内の浴水の熱を貯湯槽２内に回収する熱回収運転との少なくとも一方を実行可能でもよい。
【００３１】
制御装置１００と、リモコン装置２００との間は、有線通信または無線通信により、双方向に通信可能である。制御装置１００と、リモコン装置２００とが、ネットワークを介して通信可能でもよい。リモコン装置２００は、ユーザーインターフェースの例である。リモコン装置２００は、ユーザーが操作する操作部と、情報を表示する表示部とを有する。リモコン装置２００は、操作部及び表示部の両方の機能を有するタッチスクリーンを備えてもよい。ユーザーは、リモコン装置２００を操作することで、貯湯式給湯装置１を遠隔操作し、各種の設定などを行うことが可能である。リモコン装置２００の表示部は、ユーザーに情報を報知する報知手段としての機能を有する。本実施の形態におけるリモコン装置２００は、表示部を報知手段として備えるが、変形例として、例えば音声案内装置のような他の報知手段を備えてもよい。
【００３２】
本実施の形態において、リモコン装置２００は、例えば台所、リビング、浴室などの壁に設置されたものでもよい。または、例えばスマートフォンのような携帯端末がリモコン装置２００のようなユーザーインターフェースとしての機能を有するように構成してもよい。複数のリモコン装置２００が制御装置１００に対して通信可能でもよい。
【００３３】
ユーザーは、リモコン装置２００を操作することで、給湯配管１２へ供給される湯の設定温度及び湯張り配管６３へ供給される湯の設定温度をそれぞれ変更できる。以下の説明では、給湯配管１２へ供給される湯の設定温度を「給湯設定温度」と呼ぶことがある。湯張り配管６３へ供給される湯の設定温度を「湯張り設定温度」と呼ぶことがある。
【００３４】
制御装置１００は、浴槽に湯を張る湯張り運転を制御する。例えば、ユーザーがリモコン装置２００に対して湯張り運転の起動操作を実施した場合、あるいは、予め設定してあった予約タイマー設定による予約設定時刻になった場合に、湯張り運転が開始される。湯張り運転のときには、以下のようになる。まず、制御装置１００は、湯張り開閉弁６２を開状態にする。減圧弁７１を通過した水は、給水配管６から第二貯湯タンク２ｂの下部に流入する経路と、給水配管９を通って湯張り混合弁６１に流入する経路と分かれて流通する。第一貯湯タンク２ａの上部に溜められた高温水が出湯流路８へ流出して、湯張り混合弁６１に流入する。湯側入口６１ａからの湯と水側入口６１ｂからの水とが混合した湯が、出口６１ｃ及び湯張り配管６３を通って、浴槽内へ放出される。湯張り配管６３を通る水流を湯張り流量センサ６４が検出すると、制御装置１００は、湯張り温度センサ６５で検出される温度が湯張り設定温度に等しくなるように、湯張り混合弁６１による湯と水の混合比を調整する。
【００３５】
湯張り混合弁６１は、例えば、ステッピングモータにより弁体を回転させることで、湯側入口６１ａの開度と水側入口６１ｂの開度を調整可能となるように構成されている。この場合、制御装置１００は、湯張り混合弁６１のステッピングモータを制御することで、湯側入口６１ａの開度及び水側入口６１ｂの開度を制御可能である。
【００３６】
給湯配管１２を通る水流を給湯流量センサ１３が検出すると、制御装置１００は、給湯温度センサ１４で検出される温度が給湯設定温度に等しくなるように、給湯混合弁１１による湯と水の混合比を調整する。
【００３７】
給湯混合弁１１は、例えば、ステッピングモータにより弁体を回転させることで、湯側入口１１ａの開度と水側入口１１ｂの開度を調整可能となるように構成されている。この場合、制御装置１００は、給湯混合弁１１のステッピングモータを制御することで、湯側入口１１ａの開度及び水側入口１１ｂの開度を制御可能である。
【００３８】
変形例として、給湯配管１２の下流に設けられた給湯端末（図示省略）の開閉度合いに応じて、給湯温度センサ１４で検出される温度が所望の給湯温度となるように、制御装置１００が給湯混合弁１１を制御するものとしてもよい。
【００３９】
次に、実施の形態１の貯湯式給湯装置１の特徴的な構成について、再び図２を参照して説明する。圧縮機３２から吐出された高温高圧のガス冷媒は、ガスクーラ３３に流入する。このガスクーラ３３において、ガス冷媒は、貯湯ユニット１０から導かれた水を加熱しながら温度低下する。この冷媒は、低温高圧の状態でガスクーラ３３から流出する。このとき、このガス冷媒が、臨界圧以上であれば、超臨界状態のまま気液相転移しないで、水へ放熱して温度低下する。また、このガス冷媒が、臨界圧未満であれば、ガス冷媒は凝縮しながら、水へ放熱して温度低下する。ガスクーラ３３を通過した冷媒は、膨張弁３５に流入する。この膨張弁３５において、冷媒は、膨張されて減圧され、蒸発しやすい低温低圧の気液二相の状態となり、空気熱交換器３６に送られる。この空気熱交換器３６において、冷媒は、送風機３８によって外部から送られる空気の熱を吸収して蒸発し、低圧のガス冷媒となり、再び圧縮機３２へと送られる。
【００４０】
このとき、冷媒回路３７においては、通常、各機器の定格能力で運転される。このときの冷媒回路３７の加熱能力は、圧縮機３２の運転周波数によって制御される。例えば、外気温度が低いほど、高い周波数で圧縮機３２が運転される。ここで、加熱能力とは、冷媒回路３７のガスクーラ３３において生成することができる単位時間当たりの熱エネルギーをいうものとする。
【００４１】
貯湯運転において、制御装置１００は、出湯温度センサ５２によって検出される沸上げ温度が、例えば６５℃から９０℃の範囲内にある目標沸上げ温度に等しくなるようにポンプ７の回転速度を調節するフィードバック制御を行うことができる。ポンプ７の回転速度が上昇すると、貯湯加熱経路を流れる水の流量が増加し、水がガスクーラ３３に入ってから出るまでの加熱時間が短くなるので、沸上げ温度が低下する。ポンプ７の回転速度が低下すると、貯湯加熱経路を流れる水の流量が低下し、水がガスクーラ３３に入ってから出るまでの加熱時間が長くなるので、沸上げ温度が上昇する。
【００４２】
貯湯運転の実行中に、給湯配管１２または湯張り配管６３への給湯が開始されると、出湯流路８の湯が給湯混合弁１１または湯張り混合弁６１へ流れることで、出湯流路８内の静圧が減少する。このとき、貯湯配管４３が出湯流路８に直接連通していたと仮定とすると、貯湯加熱経路の圧力損失が低下し、貯湯加熱経路の循環流量が変動することで、フィードバック制御されているポンプ７の回転速度も変動する。これに対し、本実施の形態であれば、貯湯配管４３が出湯流路８に直接連通しておらず、出湯流路８が接続された第一上部口２３とは別の第二上部口２４にて貯湯配管４３が第一貯湯タンク２ａに接続されていることで、以下の効果が得られる。貯湯運転の実行中に、給湯配管１２または湯張り配管６３への給湯が開始され、出湯流路８内の静圧が減少したときでも、貯湯加熱経路の圧力損失の低下を抑制できるので、貯湯加熱経路の循環流量の変動を抑制できる。その結果、ポンプ７の回転速度の変動を抑制できるので、沸上げ温度の変動を抑制できる。よって、貯湯運転のときの沸上げ温度が目標値に対して変動することを確実に軽減できる。上記では、給湯配管１２または湯張り配管６３への給湯が開始された場合について説明したが、給湯配管１２または湯張り配管６３への給湯が終了した場合についても、同様の理由によって、貯湯運転のときの沸上げ温度が目標値に対して変動することを確実に軽減できる。
【００４３】
本実施の形態における湯張り運転においては、前述したような第一貯湯タンク２ａからの湯を出湯流路８へ流入させる動作に加えて、冷媒回路３７によるヒートポンプサイクル運転も同時に実施される。このような本実施の形態における湯張り運転では、以下のようになる。ポンプ７及びヒートポンプ加熱手段３１が運転される。三方弁４１は、ａ−ｂポート間が導通してｃポートが遮断される状態にされる。第二貯湯タンク２ｂの下部に貯められた水がヒートポンプ入口配管４を通ってヒートポンプ加熱手段３１のガスクーラ３３へと送られる。ヒートポンプ加熱手段３１のガスクーラ３３にて加熱された湯は、ヒートポンプ出口配管５、三方弁４１及び出湯配管４４を通り、接続点Ｐ１から出湯流路８に流入する。出湯配管４４から出湯流路８に流入した湯と、第一貯湯タンク２ａから出湯流路８に流入した湯とが混合して、湯張り混合弁６１の湯側入口６１ａに流入する。本実施の形態であれば、上記のような湯張り運転を行うことで、エネルギー効率を向上することが可能となる。
【００４４】
上述した、第二貯湯タンク２ｂの下部、ヒートポンプ入口配管４、ヒートポンプ加熱手段３１、ヒートポンプ出口配管５、三方弁４１及び出湯配管４４を経由して出湯流路８に至る流路を以下「出湯加熱経路」と称する。出湯加熱経路は、貯湯槽２の下部からポンプ７及びヒートポンプ加熱手段３１を経由した後に貯湯槽２を経由することなく出湯流路８に繋がる経路である。三方弁４１は、貯湯加熱経路と出湯加熱経路とを切り替え可能な流路切替手段に相当する。
【００４５】
本実施の形態の貯湯式給湯装置１は、出湯加熱経路を用いることで、出湯運転を実行することができる。出湯運転は、ヒートポンプ加熱手段３１により加熱された湯を貯湯槽２に流入させることなく出湯流路８及び湯張り混合弁６１に流入させる運転である。本実施の形態では、湯張り運転がこの出湯運転に相当する。
【００４６】
なお、湯張り運転のときには、出湯配管４４の流量は出湯流路８の流量よりも小さいので、出湯配管４４の湯が接続点Ｐ１から第一上部口２３へ向かって第一貯湯タンク２ａの上部に流入することはない。
【００４７】
ヒートポンプ加熱手段３１の特性としては、冷媒回路３７が同一の仕様であることを前提として、沸上げ温度及び加熱能力と、冷媒回路３７のＣＯＰ（成績係数）との相関は、その加熱能力が低くなるほどＣＯＰが高く、また、沸上げ温度が低くなるほどＣＯＰが高くなる特性を有する。
【００４８】
湯張り運転において、制御装置１００は、冷媒回路３７の加熱能力を貯湯運転のときの加熱能力よりも低い能力にしてもよい。例えば、制御装置１００は、湯張り運転のときの圧縮機３２の運転周波数及び回転速度を貯湯運転のときよりも低くしてもよい。そのようにすることで、エネルギー効率をさらに向上することが可能となる。
【００４９】
湯張り運転において、制御装置１００は、沸上げ温度が湯張り設定温度よりも低くなるように制御してもよい。例えば、制御装置１００は、湯張り運転のときの沸上げ温度が、湯張り設定温度よりも低い目標沸上げ温度に等しくなるようにポンプ７の回転速度を調節するフィードバック制御を行ってもよい。そのようにすることで、エネルギー効率をさらに向上することが可能となる。
【００５０】
湯張り運転において、制御装置１００は、以下のようにしてもよい。湯張り運転の開始から所定時間の間は、ヒートポンプ加熱手段３１から供給される湯を用いることなく、貯湯槽２から供給される湯だけを用いて、浴槽に給湯する。次に、制御装置１００は、湯張り開閉弁６２を閉じ、浴槽に供給された湯の量及び温度を確認する水位判定を実施する。制御装置１００は、この水位判定後、浴槽内の湯量及び温度を、ユーザーがリモコン装置２００で設定した湯張り量設定値及び湯張り設定温度に等しくするために必要な、浴槽に供給する残りの湯量及び温度を求める。そして、制御装置１００は、湯張り開閉弁６２を再び開状態にし、貯湯槽２からの湯とヒートポンプ加熱手段３１で加熱された湯とを出湯流路８で混合させて湯張り混合弁６１に供給する湯張り運転を行うとともに、冷媒回路３７の加熱動作を制御する。その後、浴槽内の湯量及び温度がそれぞれ湯張り量設定値及び湯張り設定温度に等しくなったとき、制御装置１００は、ヒートポンプ加熱手段３１の運転を停止し、湯張り運転を終了させる。
【００５１】
湯張り運転において、制御装置１００は、沸上げ温度が、湯張り設定温度よりも高く、かつ、貯湯運転のときの沸上げ温度よりも低くなるように制御してもよい。この場合、制御装置１００は、例えば、貯湯運転のときよりも圧縮機３２の回転速度を下げること等によって冷媒回路３７の加熱能力を低く運転させたり、または、ポンプ７の回転速度を貯湯運転のときよりも高く運転させればよい。
【００５２】
変形例として、制御装置１００は、湯張り運転における沸上げ温度及び冷媒回路３７の加熱能力の少なくとも一方を、貯湯運転における沸上げ温度及び冷媒回路３７の加熱能力よりも高くなるように運転を制御してもよい。
【００５３】
湯張り開閉弁６２を閉じることにより湯張り運転を終了するときに、出湯流路８の流れが止まることで、出湯流路８の静圧が増大する。その結果、出湯流路８に連通する出湯加熱経路の圧力損失が増加し、出湯加熱経路の流量が低下することで、ポンプ７の回転速度が変動する。そのため、沸上げ温度が変動する。そのような沸上げ温度の変動を軽減するために、制御装置１００は、以下のようにしてもよい。湯張り運転を終了する場合に、制御装置１００は、まず、湯張り混合弁６１の湯側入口６１ａの開度を現在よりも縮小させる。換言すれば、制御装置１００は、水側入口６１ｂの開度を現在よりも増大させる。その後、制御装置１００は、湯張り開閉弁６２を閉じることで、浴槽への給湯を停止する。湯側入口６１ａの開度が小さい状態であれば、湯張り開閉弁６２が閉じて出湯流路８の流れが止まったときの出湯加熱経路の圧力損失の変動を軽減できるので、沸上げ温度の変動を軽減できる。
【００５４】
制御装置１００は、貯湯運転から湯張り運転へ移行する場合には、三方弁４１を貯湯加熱経路から出湯加熱経路へ切り替えた後に、沸上げ温度を低下させるように制御してもよい。例えば、制御装置１００は、貯湯運転の実行中に、湯張り運転を開始する要求が発生した場合には、以下のようにしてもよい。まず、三方弁４１をａ−ｃポート間導通の状態からａ−ｂポート間導通の状態へ切り替える。次いで、湯張り開閉弁６２を開いて、浴槽への給湯を開始する。続いて、冷媒回路３７の加熱能力及びポンプ７の回転速度の少なくとも一方を調整することで、沸上げ温度を低下させる。上記のようにすることで、貯湯運転の目標沸上げ温度よりも低い温度の湯が第一貯湯タンク２ａの上部に流入することを防止できる。その結果、第一貯湯タンク２ａ内の温度成層が乱されることを防止でき、第一貯湯タンク２ａ内で無効温度の湯の生成が促進されることを防止できる。
【００５５】
次に、湯張り能力について説明する。湯張り能力とは、所定の浴槽容量、給水温度及び湯張り流量の条件下で、目標とする湯張り温度となる状態で浴槽を満たす場合に必要とされる単位時間当たりの熱エネルギーである。例として、浴槽容量１８０Ｌ、給水温度９℃、及び湯張り温度４０℃の条件において、一般的な湯張り流量を１０Ｌ／ｍｉｎ〜１５Ｌ／ｍｉｎとすると、標準的な湯張り能力は２１ｋＷ〜３３ｋＷとなる。その一方で、ヒートポンプ加熱手段３１の冷媒回路３７は、貯湯運転のときには例えば４．５ｋＷ〜９ｋＷ程度の加熱能力で運転され、沸上げ温度が例えば６５℃〜９０℃の範囲で運転される。つまり、湯張り能力の方がヒートポンプ加熱手段３１の加熱能力よりも大きい。このように、加熱能力が４．５ｋＷ〜９ｋＷ程度の冷媒回路３７のみでは、湯張り能力２１ｋＷ〜３３ｋＷ程度で直接湯張りすることができない。また、その湯張り能力に達する加熱能力が仮に得られたとしても、前述の通り、冷媒回路３７は加熱能力が大きくなるとＣＯＰが低下するので、ＣＯＰが大幅に低下する。また、４．５ｋＷ〜９ｋＷの加熱能力で、ヒートポンプ加熱手段３１からの湯のみで湯張り運転を実施することもできるが、湯張り時間が長くなってしまう。
【００５６】
これに対し、本実施の形態の湯張り運転であれば、第一貯湯タンク２ａから出湯流路８へ供給される湯と、ヒートポンプ加熱手段３１から出湯配管４４を介して出湯流路８へ供給される湯とを併用して湯張りを行うことで、前述の湯張り能力を確保しつつ、湯張り運転のＣＯＰを向上させることができる。特に、湯張り運転のときの沸上げ温度を貯湯運転のときの沸上げ温度よりも低い温度にすることで、湯張り運転のＣＯＰの向上に有利になる。
【００５７】
本実施の形態であれば、貯湯運転と湯張り運転とで、ヒートポンプ加熱手段３１により加熱された湯の流路を、三方弁４１でｂポートとｃポートに分けることにより、次のような効果が得られる。沸上げ温度の高い貯湯運転の実行中に、出湯流路８へ湯を流出させる給湯運転がなされた場合において、三方弁４１によって、貯湯運転による水の流路と給湯運転による水の流路とを独立させることができる。このため、給湯の開始及び終了が、沸上げ温度の変動をもたらすことを確実に防止できる。
【００５８】
その一方で、湯張り運転の実行中に、給湯配管１２へ給湯する給湯運転がなされた場合においては、湯張り運転による水の流路と、給湯運転による水の流路を独立させることはできないが、湯張り運転中であるため、ヒートポンプ加熱手段３１で加熱された、比較的低い沸上げ温度の湯が第一貯湯タンク２ａの上部に流入することはない。このため、第一貯湯タンク２ａ内の温度成層が乱されることを防止でき、第一貯湯タンク２ａ内で無効温度の湯の生成が促進されることを防止できる。また、多くの場合、湯張り運転中の沸上げ温度は、貯湯運転のときの沸上げ温度よりも十分に低い温度にされているので、沸上げ温度が多少変動しても、沸点を超えることはない。よって、流路内での沸騰による気体の発生を確実に防止できるので、流路内に湯水の滞留が発生することを確実に防止できる。
【００５９】
制御装置１００は、三方弁４１がａ−ｂポート間導通の状態で待機しているとき、すなわち湯張り運転の実行中に、給湯配管１２への給湯を給湯流量センサ１３が検出した場合には、三方弁４１をａ−ｂポート間導通の状態（出湯加熱経路）からａ−ｃポート間導通の状態（貯湯加熱経路）に変化させるようにしてもよい。三方弁４１をａ−ｃポート間導通の状態にすることで、ヒートポンプ加熱手段３１で加熱された湯の流路を給湯配管１２への給湯運転の流路から独立させることができるので、沸上げ温度の変動を軽減できる。この場合において、三方弁４１は、貯湯加熱経路と出湯加熱経路とを切り替える間の過渡状態のすべての状態において、ａポートの流路の閉塞が発生しない弁構造を有することが望ましい。仮に、貯湯加熱経路と出湯加熱経路とを切り替える間において三方弁４１のａポートが閉塞する状態があると、ヒートポンプ加熱手段３１を通過する水の流量が大きく変動することで、沸上げ温度が変動する可能性がある。これに対し、上記の弁構造を有する三方弁４１を用いることで、そのような沸上げ温度の変動をより確実に軽減できる。
【００６０】
制御装置１００は、湯張り運転から貯湯運転へ移行する場合には、沸上げ温度を上昇させた後に、三方弁４１を出湯加熱経路から貯湯加熱経路へ切り替えることが望ましい。これにより、比較的低い沸上げ温度の湯が第一貯湯タンク２ａの上部に流入することをより確実に防止できる。例えば、以下のようにしてもよい。湯張り運転の実行中に、冷媒回路３７の加熱能力及びポンプ７の回転速度の少なくとも一方を調整することで、沸上げ温度を上昇させる。沸上げ温度が貯湯運転の目標沸上げ温度に近い温度（例えば５５℃）になった後、三方弁４１をａ−ｂポート間導通の状態からａ−ｃポート間導通の状態へと変化させる。その後、湯張り開閉弁６２を閉状態とすることで湯張り運転を終了させ、貯湯運転を続行する。
【００６１】
上述したように、制御装置１００は、湯張り運転から貯湯運転へ移行する場合には、沸上げ温度が閾値温度に達した後に、三方弁４１を出湯加熱経路から貯湯加熱経路へ切り替えることが望ましい。この閾値温度を以下「切替温度」と称する。制御装置１００は、貯湯温度センサ１５により検出される貯湯温度が比較的高い第一の場合には、当該貯湯温度が比較的低い第二の場合よりも切替温度を高い値に設定することが望ましい。そのようにすることで、第二上部口２４から第一貯湯タンク２ａ内に流入した湯によって第一貯湯タンク２ａ内の温度成層が乱されることをより確実に防止できる。上記の「貯湯温度」は、例えば、第一貯湯タンク２ａに設置された貯湯温度センサ１５のうちで最も高い位置の貯湯温度センサ１５により検出された温度でもよいし、第一貯湯タンク２ａに設置された複数の貯湯温度センサ１５により検出された温度を統計的に処理した温度でもよい。一般には、密度差がおよそ１０ｋｇ／ｍ３以内の湯の流入であれば、温度境界層は乱されにくい。例として、第一貯湯タンク２ａ内の上部の貯湯温度が６５℃の場合には、４５℃の湯の流入であれば、温度境界層は乱されにくい。そこで、第一貯湯タンク２ａ内の上部の貯湯温度が６５℃の場合には、切替温度を４５℃に設定することが望ましい。これに対し、第一貯湯タンク２ａ内の上部の貯湯温度が例えば９０℃の場合には、４５℃の湯が流入すると温度成層が乱されてしまうため、切替温度を６５℃に設定することが望ましい。
【００６２】
実施の形態２．
次に、図３を参照して、実施の形態２について説明するが、前述した実施の形態１との相違点を中心に説明し、同一部分または相当部分については説明を簡略化または省略する。図３は、実施の形態２による貯湯式給湯装置５０を示す図である。本実施の形態の貯湯式給湯装置５０は、図１に示す貯湯式給湯装置１と比べて、三方弁４１、貯湯配管４３、及び出湯配管４４が省略されている。ヒートポンプ出口配管５の下流部は、出湯流路８の接続点Ｐ１に接続されている。本実施の形態において、ヒートポンプ加熱手段３１により加熱された湯の接続点Ｐ１までの流路は、貯湯運転のときと湯張り運転ときとで、同じである。貯湯運転のときには、ヒートポンプ加熱手段３１により加熱された湯は、接続点Ｐ１から第一上部口２３へ向かい、第一貯湯タンク２ａの上部に流入する。湯張り運転のときには、ヒートポンプ加熱手段３１により加熱された湯は、接続点Ｐ１から出湯流路８に流入し、第一貯湯タンク２ａの上部から出湯流路８へ流出した湯と混合して、湯張り混合弁６１に流入する。
【００６３】
制御装置１００は、貯湯運転の実行中に、給湯混合弁１１から給湯配管１２へ流出する水流を給湯流量センサ１３が検出した場合には、ポンプ７の回転速度を、当該水流が検出された時点よりも低い回転速度へ補正することを禁止する。これにより、以下の効果が得られる。貯湯運転の実行中に給湯配管１２への給湯が開始すると、出湯流路８内の静圧が減少し、貯湯加熱回路の循環流量が増加することで、沸上げ温度が低下する。沸上げ温度が低下しても、ポンプ７の回転速度が低い回転速度へ補正されることが禁止されているので、ポンプ７の回転速度は低下することなく保持される。その後、給湯配管１２への給湯が終了すると、出湯流路８内の静圧が元に戻り、貯湯加熱回路の循環流量も元に戻る。その結果、沸上げ温度が元の温度に回復する。このとき、ポンプ７の回転速度は低下していないので、沸上げ温度が目標沸上げ温度を超えることを確実に防止できる。よって、沸上げ温度が沸点を超えることが確実に防止され、流路内での沸騰による気体の発生を確実に防止できるので、流路内に湯水の滞留が発生することを確実に防止できる。
【００６４】
本実施の形態の変形例として、以下のようにしてもよい。制御装置１００は、貯湯運転の実行中には、給湯混合弁１１及び湯張り混合弁６１を、湯側入口１１ａ，６１ａの開度よりも水側入口１１ｂ，６１ｂの開度が大きい状態で保持させる。このようにすることで、給湯配管１２または湯張り配管６３への給湯が開始しても、出湯流路８内の静圧が減少しにくくなるので、貯湯加熱回路の循環流量の変動が抑制され、沸上げ温度の変動を抑制することが可能となる。
【符号の説明】
【００６５】
１  貯湯式給湯装置、  ２  貯湯槽、  ２ａ  第一貯湯タンク、  ２ｂ  第二貯湯タンク、  ３  タンク連結配管、  ４  ヒートポンプ入口配管、  ５  ヒートポンプ出口配管、  ６  給水配管、  ７  ポンプ、  ８  出湯流路、  ９  給水配管、  １０  貯湯ユニット、  １１  給湯混合弁、  １２  給湯配管、  １３  給湯流量センサ、  １４  給湯温度センサ、  １５  貯湯温度センサ、  ２３  第一上部口、  ２４  第二上部口、  ３１  ヒートポンプ加熱手段、  ３２  圧縮機、  ３３  ガスクーラ、  ３４  内部熱交換器、  ３５  膨張弁、  ３６  空気熱交換器、  ３７  冷媒回路、  ３８  送風機、  ４１  三方弁、  ４３  貯湯配管、  ４４  出湯配管、  ５０  貯湯式給湯装置、  ５１  入水温度センサ、  ５２  出湯温度センサ、  ６１  湯張り混合弁、  ６２  湯張り開閉弁、  ６３  湯張り配管、  ６４  湯張り流量センサ、  ６５  湯張り温度センサ、  １００  制御装置、  ２００  リモコン装置
【図１】
2019086163.tif 000003
【図２】
2019086163.tif 000004
【図３】
2019086163.tif 000005